(57)【特許請求の範囲】
【請求項１】
被検眼の前眼部を撮像する撮像手段と、
前記撮像手段の出力信号のうち偶数フィールドあるいは奇数フィールドのいずれか一方を記憶する記憶手段と、
前記記憶されたフィールドに基づく前眼部画像から３つの輝点を抽出する抽出手段と、
前記３つの輝点が前記撮像手段の出力信号のインタレースの走査線の方向に対して交差する方向に並ぶように前記被検眼と前記撮像手段との光軸方向の距離を変更する変更手段と、を有し、
前記３つの輝点のうち中心の輝点の位置に基づいて前記被検眼と前記撮像手段とにおける前記インタレースの走査線の方向の位置合わせと前記交差する方向の位置合わせとを行い、前記記憶されたフィールドに基づいて前記交差する方向の位置合わせを補正することを特徴とする眼科装置。
【請求項２】
前記３つの輝点のうち前記中心の輝点以外の２つの輝点における前記インタレースの走査線の方向の座標の差に基づいて前記変更手段により変更する距離を取得する取得手段を有することを特徴とする請求項１に記載の眼科装置。
【請求項３】
前記記憶手段により記憶されたフィールドに基づいて前記前眼部画像を前記表示手段に表示させる表示制御手段を有し、
前記抽出手段は、前記前眼部画像から前記３つの輝点を抽出することを特徴とする請求項１に記載の眼科装置。
【請求項４】
前記３つの輝点が前記交差する方向に並んだ場合に、前記被検眼と前記測定手段との光軸方向の位置合わせが完了したと判断する判断手段を有することを特徴とする請求項１乃至３のいずれか１項に記載の眼科装置。
【請求項５】
前記判断手段の判断結果に基づいて前記被検眼を測定する測定手段を有することを特徴とする請求項４に記載の眼科装置。
【請求項６】
前記測定手段による前記被検眼の測定を開始する測定開始手段と、
前記撮像手段の光路に挿脱可能なアライメント用絞り手段と、
前記測定開始手段からの信号に応じて前記アライメント用絞り手段を挿入する制御手段と、
を有することを特徴とする請求項５に記載の眼科装置。
【請求項７】
前記制御手段は、前記アライメント用絞り手段を挿入した後に前記抽出手段による３つの輝点の抽出を行い、該抽出した３つの輝点を用いて前記変更手段により前記距離を変更することを特徴とする請求項６に記載の眼科装置。
【請求項８】
前記測定手段及び前記撮像手段を一体に駆動する駆動手段と、
前記駆動手段による駆動を操作する操作手段と、
前記操作手段の操作量と操作速度とに基づいて前記駆動手段を制御する制御手段と、
を有することを特徴とする請求項５乃至７のいずれか１項に記載の眼科装置。
【発明の詳細な説明】
【０００１】
【発明の属する技術分野】
本発明は、被検眼と装置の検眼部の精密な位置合わせが必要な眼科装置に関するものである。
【０００２】
【従来の技術】
従来の眼科装置では、アライメント検出はテレビカメラを用いて被検眼の前眼部を撮影し、Ａ／Ｄ変換を行って一旦メモリに取り込み、アライメント光による角膜反射像や瞳孔中心を前眼部像から抽出し位置ずれを演算し、この位置ずれ量に応じて検眼部を移動させ、オートアライメントを行う装置が知られている。
【０００３】
【発明が解決しようとする課題】
しかしながら上述の従来例では、装置を安価にするためにインタレース信号を出力するテレビカメラを用い、アライメント検出を迅速に行うために、奇数フィールド又は偶数フィールドの何れか一方のフィールド信号のみを用いてアライメント検出を行っている。従って、奇数フィールドと偶数フィールドではテレビカメラ上で使用する画素は垂直方向に１画素分ずれているため、奇数フィールドを用いて検出したアライメントずれと、偶数フィールドを用いて検出したアライメントずれでは、垂直方向のずれに誤差が生じてしまうという欠点がある。
【０００４】
本発明の目的は、上述の問題点を解消し、安価な構成で迅速かつ高精度のアライメント検出ができる眼科装置を提供することにある。
【０００５】
【課題を解決するための手段】
上記目的を達成するための本発明に係る眼科装置は、
被検眼の前眼部を撮像する撮像手段と、
前記撮像手段の出力信号のうち偶数フィールドあるいは奇数フィールドのいずれか一方を記憶する記憶手段と、
前記記憶されたフィールドに基づく前眼部画像から３つの輝点を抽出する抽出手段と、
前記３つの輝点が前記撮像手段の出力信号のインタレースの走査線の方向に対して交差する方向に並ぶように前記被検眼と前記撮像手段との光軸方向の距離を変更する変更手段と、を有し、
前記３つの輝点のうち中心の輝点の位置に基づいて前記被検眼と前記撮像手段とにおける前記インタレースの走査線の方向の位置合わせと前記交差する方向の位置合わせとを行い、前記記憶されたフィールドに基づいて前記交差する方向の位置合わせを補正する。
【００１０】
【発明の実施の形態】
本発明を図示の実施の形態に基づいて詳細に説明する。
図１は実施例の外観斜視図であり、本体カバー１の上部には測定部２が三次元方向に動作自在に設けられ、本体カバー１の内部には測定部２を駆動するための後述する駆動機構が設置されている。本体カバー１の検者が面する側壁１ａには、液晶モニタ又はＣＲＴモニタから成る表示装置３が配置されている。本体カバー１の側壁１ａの反対側には、子供から大人までの被検者の顔を受ける図示しない顔受け部が設けられている。測定の際には、被検者の顔を顔受け台により支持して被検眼を所定位置に固定し、測定部２を被検眼に電動によりアライメントして被検眼を測定するようになっている。
【００１１】
また、本体カバー１の側壁１ａには、測定部２を左右及び前後方向に粗く駆動するためのトラックボール４と、測定部２を上下方向に粗く駆動するためのローラ５と、測定開始スイッチ、プリンタ始動スイッチ、選択設定スイッチ等から成るスイッチパネル６と、測定結果を印字するプリンタ７とが配置されている。なお、表示装置３では測定モード、被検眼像、測定値等が表示されると共に、各種の設定が選択されるようになっている。
【００１２】
図２は駆動機構の斜視図であり、駆動機構は破線で示す測定部２を被検眼Ｅにアライメントし得るように構成されている。基台１１には測定部２を被検眼Ｅの幅方向、即ち左右方向に駆動するための左右動ステージ１２と、測定部２を被検眼Ｅに対して接近又は離間させる方向、即ち前後方向に駆動するための前後動ステージ１３と、測定部２を被検眼Ｅの上下方向に駆動するための上下動ステージ１４とが動作自在に設けられている。
【００１３】
左右動ステージ１２は、基台１１に固定された直動ガイドレール１５、１６の間に摺動自在に配置され、直動ガイドレール１５、１６の外面は基台１１に固着され、それらの内面は左右動ステージ１２に摺接されている。左右動ステージ１２の下面に設けられた図示しないナット部は、基台１１に回転自在に支持された送りねじ１７に螺合されている。送りねじ１７は駆動モータ１８にベルト１９を介して連結され、左右動ステージ１２は駆動モータ１８の出力軸の正逆回転によって左右方向に駆動されるようになっている。
【００１４】
左右動ステージ１２の動作方向の両側には図示しないリミットスイッチが配置され、左右動ステージ１２のストロークは約９０ｍｍに規制されている。そして、駆動モータ１８の出力軸にはエンコーダが同軸に配置されていると共に、基台１１にはフォトカップラが配置され、これらのエンコーダとフォトカプラにより駆動モータ１８の回転角度や回転数が検出されるようになっている。
【００１５】
前後動ステージ１３は左右動ステージ１２に固定された直動ガイドレール２０、２１の間に摺動自在に配置され、直動ガイドレール２０、２１の内面は前後動ステージ１３に固着され、それらの外面は左右動ステージ１２に摺接されている。前後動ステージ１３の下面に設けられたナット部２２は、左右動ステージ１２に回転自在に支持された送りねじ２３に螺合され、この送りねじ２３は駆動モータ２４に図示しないカップリングを介して連結されている。従って、前後動ステージ１３は駆動モータ２４の出力軸の正逆回転によって前後方向に駆動されるようになっている。また、前後動ステージ１３のストロークは上述と同様な手段により約４０ｍｍに規制され、駆動モータ２４の回転角度と回転数は上述と同様な手段により検出されるようになっている。
【００１６】
上下動ステージ１４には測定部２が支持されており、上下動ステージ１４の下面には送りねじ２５が回転自在に垂設されている。送りねじ２５は前後動ステージ１３の上面に立設された支持筒２６に図示しない直動型のボールベアリングを介して螺合され、前後動ステージ１３の上面に配置された駆動モータ２７に図示しないベルトを介して連結されている。前後動ステージ１３の上面に立設された規制筒２８には測定部２に垂設されたピン２９が嵌合され、測定部２の回転が規制されている。従って、上下動ステージ１４は駆動モータ２７の出力軸の正逆回転によって上下方向に駆動されるようになっている。また、上下動ステージ１４のストロークは上述と同様な手段により約３０ｍｍに規制され、駆動モータ２７の回転角度と回転数は上述と同様な手段により検出されるようになっている。
【００１７】
図３は測定部２の光学的な構成図であり、被検眼Ｅの視軸にアライメントされる中心軸Ｏ上には、可視光束を全反射すると共に波長８８０ｎｍの光束を一部反射するダイクロイックミラー３１が配置されている。ダイクロイックミラー３１の透過方向には屈折測定光学系が構成され、ダイクロイックミラー３１の反射方向にはアライメント受光光学系と固視投影光学系が構成されており、アライメント受光光学系は前眼部観察、及びアライメント検出が共用されている。
【００１８】
ダイクロイックミラー３１の透過方向には対物レンズ３２、孔あきミラー３３、絞り３４、投影レンズ３５、投影絞り３６、波長８８０ｎｍの光束を発するアライメント測定光源３７が順次に配置されている。孔あきミラー３３の反射方向には６分割絞り３８、６分割プリズム３９、受光レンズ４０、二次元撮像素子から成るＣＣＤカメラ４１が順次に配置されている。６分割絞り３８と６分割プリズム３９は図４に示すような形状とされており、これらは密着された状態で光軸上に配置されている。なお、アライメント測定光源３７はアライメント検出と屈折測定に兼用されている。
【００１９】
ダイクロイックミラー３１の反射方向には、レンズ４２とダイクロイックミラー４３が配置されており、ダイクロイックミラー４３の反射方向にはアライメントプリズム絞り４４、結像レンズ４５、二次元撮像素子から成るＣＣＤカメラ４６が順次に配置されている。アライメントプリズム絞り４４は、図５に示すように中央の開口４７ａと外側の開口４７ｂ、４７ｃとを有する円板状の絞り板４７と、外側の開口４７ｂ、４７ｃにそれぞれ設けられたアライメントプリズム４８、４９とから構成されている。
【００２０】
ダイクロイックミラー４３の背後には、全反射ミラー５０、固視誘導レンズ５１、固視チャート５２、固視投影光源５３が順次に配置されている。固視誘導レンズ５１は後述する駆動モータにより光軸方向に駆動されるようになっている。そして、中心軸Ｏの上下には１対の前眼部照明光源５４ａ、５４ｂが配置されている。
【００２１】
図６は上述の各デバイスとＣＰＵ６０との接続状態を示すブロック図であり、ＣＰＵ６０にはトラックボール４、ローラ５、スイッチパネル６、及びプリンタ７が接続されている。駆動モータ１８、２４、２７はドライバ６１、６２、６３を介してＣＰＵ６０にそれぞれ接続されている。光源３７、５３、５４は図示しないドライバとＤ／Ａコンバータ６４を介してＣＰＵ６０に接続され、光源３７、５３、５４の光量が制御されるようになっている。固視誘導レンズ５１の駆動モータ６５はドライバ６６を介してＣＰＵ６０に接続されている。ＣＣＤカメラ４１、４６の出力はビデオスイッチ６７を介してＡ／Ｄコンバータ６８と画像メモリ６９を介してＣＰＵ６０にそれぞれ接続されている。また、ＣＰＵ６０からの出力と共にＣＣＤカメラ４６の出力は、キャラクタ発生装置７０を介して表示装置３に接続されている。
【００２２】
図６の構成図により、ＣＣＤカメラ４１からの眼底像の信号は、ＣＰＵ６０の指令により作動するビデオスイッチ６７により選択され、Ａ／Ｄコンバータ６８を介してデジタル化されて画像メモリ６９に格納され、屈折力は画像メモリ６９に格納された画像に基づいて演算される。ＣＣＤカメラ４６からの前眼部像の信号は、Ａ／Ｄコンバータ６８によりデジタル化されて画像メモリ６９に格納され、アライメント輝点の抽出や角膜曲率半径が、画像メモリ６９に格納された画像に基づいて演算される。また、ＣＣＤカメラ４６からの前眼部像の信号はキャラクタ発生装置７０からの信号と合成され、表示装置３上に前眼部像、測定値等として表示される。
【００２３】
図３において、アライメント測定光源３７から発した光束は投影絞り３６により絞られ、投影レンズ３５により対物レンズ３２の手前で１次結像し、対物レンズ３２とダイクロイックミラー３１を透過し、被検眼Ｅの瞳中心を通って眼底に結像する。眼底からの反射光束は瞳周辺を通って対物レンズ３２に入射し、太い光束となって孔あきミラー３３で全反射し、６分割絞り３８により６分割され、６分割プリズム３９によりＣＣＤカメラ４１の受光面領域の適正範囲に受光されるように屈折され、ＣＣＤカメラ４１に６点のスポット像を投影する。
【００２４】
被検眼Ｅが正視であるときは、６点のスポット像の重心を結ぶ近似曲線は所定の円になる。被検眼Ｅが近視や遠視である場合には、近似曲線の曲率が大きくなったり小さくなったりする。そして、被検眼Ｅに乱視がある場合には、近似曲線は楕円となり、水平軸と楕円の長軸が成す角度は乱視軸角度となり、この楕円の近似曲線の係数から屈折値を求める。
【００２５】
また、被検眼Ｅの角膜で反射したアライメント測定光源３７の反射光は、ダイクロイックミラー３１で反射し、レンズ４２を透過して平行光束となり、ダイクロイックミラー４３、アライメントプリズム絞り４４、結像レンズ４５を介してＣＣＤカメラ４６に結像する。
【００２６】
そして、アライメントプリズム絞り４４の一方のアライメントプリズム４８を透過した光束は下方に屈折し、他方のアライメントプリズム４９を透過した光束は上方に屈折する。また、アライメントプリズム絞り４４の中心の開口４７ａには前眼部照明光源５４ａ、５４ｂからの波長７８０ｎｍ以上の光束が通過する。
【００２７】
従って、前眼部照明光源５４ａ、５４ｂの照明による前眼部からの反射光束は、アライメントプリズム４４の中央の開口４７ａと結像レンズ４５を介してＣＣＤカメラ４６に結像し、前眼部像が表示装置３に表示されるので、検者は表示装置３の前眼部像を観察しながら測定部２の中心軸Ｏを被検眼Ｅに概略アライメントすることが可能となる。また、測定部２を角膜反射像によってオートアライメントする場合には、アライメントプリズム絞り４４は光路内に挿入され、アライメントプリズム絞り４４のアライメントプリズム４８、４９の透過した光束は、結像レンズ４５を介してＣＣＤカメラ４６に結像する。
【００２８】
なお、固視投影光源５３の光束は固視チャート５２の裏側を照明し、固視誘導レンズ５１、全反射ミラー５０、ダイクロイックミラー４３、レンズ４２、ダイクロイックミラー３１を介して被検眼Ｅの眼底に投影される。固視誘導レンズ５１は駆動モータ６５により光軸方向に駆動され、被検眼Ｅの視度の変化に対応する。
【００２９】
このような構成の眼屈折測定装置によって被検眼Ｅの屈折力を測定する際には、被検者の顔を顔受け台により支持し、測定部２の中心軸Ｏを被検眼Ｅの視軸にアライメントするようにトラックボール４とローラ５を操作する。測定部２を被検眼Ｅに対して左右方向と前後方向に駆動するためにはトラックボール４を操作し、測定部２を被検眼Ｅに対して上下方向に駆動するためにはローラ５を操作する。
【００３０】
トラックボール４とローラ５を操作すると、それらに内蔵されているパルスカウンタやロータリエンコーダからトラックボール４とローラ５の操作量と速度に基づいた信号がＣＰＵ６０に入力し、ＣＰＵ６０はドライバ６１、６２、６３を介して駆動モータ１８、２４、２７をそれぞれ制御し、駆動モータ１８、２４、２７は測定部２を三次元方向に駆動する。
【００３１】
操作者は上述した操作で測定部２を移動させ、被検眼Ｅの観察画像を表示装置３で確認できるようにして、被検眼Ｅが表示装置３上に確認されるとスイッチパネル６に配置された測定開始スイッチを押す。
【００３２】
測定開始スイッチを押すと、装置は先ず被検眼Ｅに対して測定部２を自動的に位置合わせするオートアライメントを開始する。図７はアライメント検出に測定光源３７の角膜反射像を使用して位置検出を行う場合に、観察される被検眼Ｅの前眼部像である。
【００３３】
図７（ａ）は被検眼Ｅの作動距離が適正に位置合わせされた場合を示し、被検眼の前眼部像及び照明光源５４ａ、５４ｂの角膜反射像はアライメントプリズム絞り４４の中心の開口４７ａを透過した光束によって結像され、測定光源３７の角膜反射像も縦一列の３つの輝点として結像する。アライメントプリズム絞り４４の開口４７ｂを透過した光束は上側の輝点、開口４７ｃを透過した光束は下側の輝点、開口４７ａを透過した光束は中央の輝点となる。
【００３４】
図７（ｂ）は被検眼Ｅと測定部２との作動距離が適正位置よりも遠い状態での観察像を示し、図７（ｃ）は被検眼Ｅと測定部２との作動距離が適正位置より近い状態での観察像を示している。アライメント検出においては、先ずＣＣＤカメラ４６により撮影された被検眼Ｅの前眼部像を、Ａ／Ｄコンバータ６８によりＡ／Ｄ変換し、画像メモリ６９に取り込む。画像メモリ６９に取り込まれた画像を基にＣＰＵ６０により、３つの輝点を抽出し各輝点の位置の重心計算を行い、作動距離方向のアライメントずれは、上下の輝点のＸ座標（水平方向）の差により算出する。また、上下左右方向のアライメントずれは、中心の輝点の重心の位置により算出する。
【００３５】
ＣＣＤカメラ４６はインタレース信号出力の安価なカメラを使用する。また、アライメント検出を迅速に行うため画像メモリ６９への取り込みは１フィールドのみである。画像メモリ６９も１フレームを取り込む場合の半分の容量で十分である。ＣＣＤカメラ４６からの映像信号出力はインタレース出力であるため、奇数フィールドの画像をＡ／Ｄコンバータ６８によりＡ／Ｄ変換し、画像メモリ６９に取り込む場合は、図８（ａ）に示すＣＣＤカメラ４６上の１，３，５，７といった奇数の走査線の画素の画像（斜線なし）が、図８（ｂ）に示すように画像メモリ６９に取り込まれる。
【００３６】
また、偶数フィールドの画像をＡ／Ｄコンバータ６８によりＡ／Ｄ変換し、画像メモリ６９に取り込む場合には、ＣＣＤカメラ４６上の２，４，６，８といった偶数の走査線の画素の画像（斜線部）の画像が、図８（ｃ）に示すように画像メモリ６９に取り込まれる。このように、奇数フィールドの画像と偶数フィールドの画像では、ＣＣＤカメラ４６上で垂直方向に１画素分ずれでいることになる。
【００３７】
仮に、図９（ａ）に示すような斜線で示す画像が、ＣＣＤカメラ４６上にあるときには、奇数フィールドの画像を画像メモリに取り込んだ場合には、図９（ｂ）に示すような画像になり、偶数フィールドの画像を画像メモリ６９に取り込んだ場合には、図９（ｃ）に示すような画像になる。
【００３８】
このような状態で画像の重心を計算すると、計算結果は図９（ｄ）に示すようになり、奇数フィールドの画像を用いて計算した重心と、偶数フィールドの画像を用いて計算した重心との差は、垂直方向でのずれ量の絶対値｜ΔＹ｜は０．５となる。
【００３９】
また、図１０（ａ）に示すように、図９（ａ）に対してＣＣＤカメラ４６上で１画素分ずれた画像の場合でも、奇数フィールドと偶数フィールドの画像の重心の差は、垂直方向でのずれ量の絶対値｜ΔＹ｜は０．５となる。
【００４０】
図１１（ａ）に示すような画像では、奇数フィールドと偶数フィールドの画像の重心のずれ量の絶対値｜ΔＹ｜は１．０となり、図１２（ａ）に示すような図１１（ａ）に対してＣＣＤカメラ４６上で１画素分ずれた画像の場合は、奇数フィールドと偶数フィールドの画像の重心のずれ量の絶対値｜ΔＹ｜は０．０となる。
【００４１】
図１３（ａ）に示すような画像では、奇数フィールドと偶数フィールドの画像の重心のずれ量の絶対値｜ΔＹ｜は０．６６となり、図１４（ａ）に示すような図１３（ａ）に対してＣＣＤカメラ４６上で１画素分ずれた画像の場合は、奇数フィールドと偶数フィールドの画像の重心のずれ量の絶対値｜ΔＹ｜は０．３４となる。
【００４２】
このように、重心計算に用いるフィールドによって画像の垂直方向の重心のずれが生ずる。また、画像の形状によってはＣＣＤカメラ４６上の垂直方向の位置により、重心ずれがばらついてしまう。この問題を解決するためには、使用するフィールドによって、重心の計算結果に補正をする必要がある。
【００４３】
画像メモリ６９にＣＣＤカメラ４６からの画像を取り込むときに、偶数フィールドの画像は奇数フィールドの画像に対して、１画素分垂直方向にシフトしてしまう。偶数フィールドの重心の計算結果に対して＋０．５画素分補正すると、１画素分のシフトを相殺することができる。
【００４４】
この補正を重心計算の結果に対して行うと、図９〜図１４（ｅ）に示すようになる。図９、図１０の画像では、奇数フィールドと偶数フィールドの画像の重心のずれ量の絶対値｜ΔＹ｜は０．０、図９、図１０の画像では奇数フィールドと偶数フィールドの画像の重心のずれ量の絶対値｜ΔＹ｜は０．５、図９、図１０の画像では、奇数フィールドと偶数フィールドの画像の重心のずれ量の絶対値｜ΔＹ｜は０．１６になる。このように、画像の形状や位置によらず、奇数フィールドと偶数フィールドの画像の重心のずれを小さくすることができる。
【００４５】
上述したように取り込んだ画像のから３つの輝点を抽出し、これらの輝点の重心を求めてアライメントずれの計算を行い、ずれ量に応じて左右方向の駆動モータ１８、前後方向の駆動モータ２４、上下方向の駆動モータ２７を駆動し、測定部２を移動させる。この動作をアライメントずれが所定の範囲に入るまで繰り返し、オートアライメントを行い、オートアライメントの終了後に眼屈折力の測定を行う。
【００４６】
本実施の形態では、アライメント検出にアライメント光の被検眼Ｅの角膜反射像を用いたが、広範囲のアライメント検出が必要な場合には、上下左右方向のアライメント検出は被検眼Ｅの瞳孔の中心を検出してもよい。また、本実施の形態は眼屈折測定装置に適用した例を説明したが、非接触式眼圧計など他の位置合わせと必要とする眼科装置に対しても適用できる。
【００４７】
【発明の効果】
以上の本発明に係る眼科装置によれば、安価な構成で迅速かつ高精度のアライメント検出ができる。
【００４８】
また、被検眼角膜にアライメント光束を投影し、アライメント光束の角膜反射像を用いて被検眼に対する検眼ユニットの位置ずれを検出することにより、高精度な三次元のアライメント検出ができる。
【００４９】
更に、被検眼の瞳孔の位置により被検眼に対する検眼ユニットの位置ずれを検出することにより、広範囲のアライメント検出ができる。
【図面の簡単な説明】
【図１】実施の形態の外観図である。
【図２】駆動部の構成図である
【図３】測定部の光学的構成図である
【図４】６分割絞りと６分割プリズムの分解斜視図である。
【図５】アライメントプリズム絞りの斜視図である。
【図６】ＣＰＵと各デバイスの接続関係のブロック回路構成図である。
【図７】アライメント光によるアライメント時の前眼部像である。
【図８】ＣＣＤの上の画像を画像メモリに取り込むときの説明図である
【図９】重心計算を行うときの説明図である。
【図１０】重心計算を行うときの説明図である。
【図１１】重心計算を行うときの説明図である。
【図１２】重心計算を行うときの説明図である。
【図１３】重心計算を行うときの説明図である。
【図１４】重心計算を行うときの説明図である。
【符号の説明】
２  測定部
３  表示装置
４  トラックボール
５  ローラ
６  スイッチパネル
１８、２４、２７  駆動モータ
３７  アライメント測定光源
４４  アライメントプリズム絞り
４１、４６  ＣＣＤカメラ
４７ａ、４７ｂ、４７ｃ  開口
５３  固視投影光源
５４ａ、５４ｂ  前眼部照明光源
６０  ＣＰＵ
６４  Ｄ／Ａコンバータ
６８  Ａ／Ｄコンバータ
６９  画像メモリ
【図１】
0005187995.tif 000002
【図２】
0005187995.tif 000003
【図３】
0005187995.tif 000004
【図４】
0005187995.tif 000005
【図５】
0005187995.tif 000006
【図６】
0005187995.tif 000007
【図７】
0005187995.tif 000008
【図８】
0005187995.tif 000009
【図９】
0005187995.tif 000010
【図１０】
0005187995.tif 000011
【図１１】
0005187995.tif 000012
【図１２】
0005187995.tif 000013
【図１３】
0005187995.tif 000014
【図１４】
0005187995.tif 000015